(57)【要約】【課題】洗浄水の供給管と水洗便器側の給水口との接続を容易にして、組立作業の効率を高めることができるトイレ装置を提供する。【解決手段】水洗便器１１の上部に載置された洗浄水タンク１３と、洗浄水タンク１３から水洗便器１１に洗浄水を供給する供給管４１、４６と、供給管４１、４６の下流側を水洗便器１１の給水口１８、２９に接続する接続手段４４、４８とを有するトイレ装置１０において、接続手段４４、４８は、供給管４１、４６の下流側端部４２、４７に設けられ、しかも給水口１８、２９の内側に嵌合可能な排水口５２、５７と、排水口５２、５７の下部に形成されて給水口１８、２９に挿入しうる先細りのガイド部５３、５８とを有する。【選択図】　　　　図１
2004036131.tif 000002
【特許請求の範囲】
【請求項１】
水洗便器の上部に載置された洗浄水タンクと、該洗浄水タンクから前記水洗便器に洗浄水を供給する供給管と、該供給管の下流側を前記水洗便器の給水口に接続する接続手段とを有するトイレ装置において、
前記接続手段は、前記供給管の下流側端部に設けられ、しかも前記給水口の内側に嵌合可能な排水口と、該排水口の下部に形成されて前記給水口に挿入しうる先細りのガイド部とを有することを特徴とするトイレ装置。
【請求項２】
水道管から制御弁を介して水洗便器に洗浄水を供給する供給管と、該供給管の下流側を前記水洗便器の給水口に接続する接続手段とを有するトイレ装置において、
前記接続手段は、前記供給管の下流側端部に設けられ、しかも前記給水口の内側に嵌合可能な排水口と、該排水口の下部に形成されて前記給水口に挿入しうる先細りのガイド部とを有することを特徴とするトイレ装置。
【請求項３】
請求項１及び２のいずれか１項に記載のトイレ装置において、前記ガイド部は、前記排水口の軸心を中心として半径方向に広がり、その斜辺が下方に向かって該排水口の軸心に近づく３枚以上のガイド板を有していることを特徴とするトイレ装置。
【請求項４】
水洗便器の上部に載置された洗浄水タンクと、該洗浄水タンクから前記水洗便器に洗浄水を供給する供給管と、該供給管の下流側を前記水洗便器の給水口に接続する接続手段とを有するトイレ装置において、
前記接続手段は、前記供給管の下流側端部にその一端が取付けられる可撓性管が使用され、該可撓性管の他端部には、前記水洗便器の給水口に連結する継手が設けられていることを特徴とするトイレ装置。
【請求項５】
水道管から制御弁を介して水洗便器に洗浄水を供給する供給管と、該供給管の下流側を前記水洗便器の給水口に接続する接続手段とを有するトイレ装置において、
前記接続手段は、前記供給管の下流側端部にその一端が取付けられる可撓性管が使用され、該可撓性管の他端部には、前記水洗便器の給水口に連結する継手が設けられていることを特徴とするトイレ装置。
【発明の詳細な説明】
【０００１】
【発明の属する技術分野】
本発明は、水道管又は水洗便器の上部に載置した洗浄水タンクから洗浄水を水洗便器に供給するトイレ装置に関する。
【０００２】
【従来の技術】
従来、水洗便器は、便器本体の上方に洗浄水タンクを設け、水道管から洗浄水タンクに洗浄水を供給して溜めた洗浄水、又は水道管から直接供給する洗浄水を供給管から制御弁を介して便器上部の内側周囲に設けたリム部の給水口に供給して、リム部から渦状に洗浄水を流出させて便器内部を洗浄している。リム部の下部にはリム排出孔を設け、リム排出孔から下方に流出させた洗浄水によって便器内を洗浄したあと、サイホン作用により便器下部に設けたトラップ排水路に流すようにしている。
また、リム部からの洗浄水の流出のほかに、洗浄水タンクから制御弁を介して洗浄水をジェットノズルに供給するジェットパイプを設けると共に、便器の底部からトラップ排水路にジェットノズルを向けて配置し、ジェットパイプの給水口に洗浄水を供給してジェットノズルから噴出させ、便器内の溜水の量を少なくするようにしている。
そのため、洗浄水タンクの下部に設けられた供給管の下流側を水洗便器のリム部及びジェットパイプに設けた給水口に金属製の継手によって接続している。
【０００３】
【発明が解決しようとする課題】
しかしながら、前記従来の構成のトイレ装置では、洗浄水タンクと水洗便器が陶器で製造されているため、焼成によって形成される陶器の精度は金属の加工精度と同じ程度にすることは極めて難しい。したがって、洗浄水タンクと水洗便器を組み立てるとき、洗浄水タンクの供給管の排水口と水洗便器のリム部やジェットパイプの給水口との接続位置が、例えば１〜５ｍｍ程度ずれることが多く、金属製の継手や供給管のずれを修正する接続や、接続作業に多くの時間を要したり、継手に無理な力が働いて水漏れが生じるおそれがあった。
また、継手の結合を容易にするため、供給管の排水口の端部とリム部やジェットパイプの給水口の端部にそれぞれテーパーを設けて結合させているが、テーパーは排水口や給水口の肉厚の範囲で設けられるため長さが短く、十分に供給管の排水口とリム部やジェットパイプの給水口とのずれを調整できず、供給管を簡単に給水口の中に嵌入できないことがあった。
本発明はこのような事情に鑑みてなされたもので、洗浄水の供給管と水洗便器側の給水口との接続を容易にして、組立作業の効率を高めるトイレ装置を提供することを目的とする。
【０００４】
【課題を解決するための手段】
前記目的に沿う第１の発明に係るトイレ装置は、水洗便器の上部に載置された洗浄水タンクと、該洗浄水タンクから前記水洗便器に洗浄水を供給する供給管と、該供給管の下流側を前記水洗便器の給水口に接続する接続手段とを有するトイレ装置において、前記接続手段は、前記供給管の下流側端部に設けられ、しかも前記給水口の内側に嵌合可能な排水口と、該排水口の下部に形成されて前記給水口に挿入しうる先細りのガイド部とを有する。
これにより、洗浄水タンクの下部に設けた供給管の排水口を、例えば水洗便器の内側に設けたリム部やジェットノズルに洗浄水を供給するジェットパイプのそれぞれの給水口に接続する場合、給水口より直径が遙に小さい先細りのガイド部の先端を給水口の内側に入れてから、傾斜したガイド部を給水口の内側に沿って摺動させて嵌入させることができる。
したがって、洗浄水タンクを水洗便器の上に載置したとき、洗浄水タンクに設けた供給管の排水口と、水洗便器のリム部やジェットノズルの給水口との接続位置がずれていても、ガイド部を設けた接続手段によって自動的に供給管の排水口と給水口との中心位置が一致する方向に供給管の位置が調整され、容易に供給管の排水口と水洗便器の給水口とを接続することができる。
【０００５】
前記目的に沿う第２の発明に係るトイレ装置は、水道管から制御弁を介して水洗便器に洗浄水を供給する供給管と、該供給管の下流側を前記水洗便器の給水口に接続する接続手段とを有するトイレ装置において、前記接続手段は、前記供給管の下流側端部に設けられ、しかも前記給水口の内側に嵌合可能な排水口と、該排水口の下部に形成されて前記給水口に挿入しうる先細りのガイド部とを有する。これにより、水道管に取付けた供給管の排水口を、例えば水洗便器の内側に設けたリム部やジェットノズルに洗浄水を供給するジェットパイプのそれぞれの給水口に接続する場合、給水口より直径が遙に小さい先細りのガイド部の先端を給水口の内側に入れてから、傾斜したガイド部を給水口の内側に沿って摺動させて嵌入させることができる。したがって、水道管に接続された供給管の排水口と水洗便器のリム部やジェットパイプの給水口との接続位置がずれていても、ガイド部を設けた接続手段によって自動的に供給管と給水口との中心位置が一致する方向に供給管の位置が調整され、容易に供給管の排水口と水洗便器の給水口とを接続することができる。
【０００６】
前記第１、第２の発明に係るトイレ装置において、前記ガイド部は、前記排水口の軸心を中心として半径方向に広がり、その斜辺が下方に向かって該排水口の軸心に近づく３枚以上のガイド板を有していてもよい。
この場合、供給管の排水口の中心から外周までの半径の長さだけ傾斜した辺を有するガイド板が３枚以上設けられているので、最終的に供給口の内周の３ヶ所以上の点でガイド板が接触して排水口と給水口との中心位置が一致する。したがって、排水口の肉厚の部分だけに傾斜面を設けた従来の調整方法よりも、ずれを調整できる範囲が大きくなり、組立作業が極めて容易となる。
【０００７】
前記目的に沿う第３の発明に係るトイレ装置は、水洗便器の上部に載置された洗浄水タンクと、該洗浄水タンクから前記水洗便器に洗浄水を供給する供給管と、該供給管の下流側を前記水洗便器の給水口に接続する接続手段とを有するトイレ装置において、前記接続手段は、前記供給管の下流側端部にその一端が取付けられる可撓性管が使用され、該可撓性管の他端部には、前記水洗便器の給水口に連結する継手が設けられている。
これにより、接続手段に、例えば蛇腹管やゴム管等の可撓性管を用いることにより、洗浄水タンクの供給管の排水口と水洗便器のリム部やジェットパイプの給水口との接続位置がずれていても、可撓性管の撓みにより接続位置のずれを吸収し、容易に供給管と給水口とを接続することができる。
【０００８】
前記目的に沿う第４の発明に係るトイレ装置は、水道管から制御弁を介して水洗便器に洗浄水を供給する供給管と、該供給管の下流側を前記水洗便器の給水口に接続する接続手段とを有するトイレ装置において、前記接続手段は、前記供給管の下流側端部にその一端が取付けられる可撓性管が使用され、該可撓性管の他端部には、前記水洗便器の給水口に連結する継手が設けられている。
これにより、接続手段に、例えば蛇腹管やゴム管等の可撓性管を用いることにより、水道管に接続された供給管の排水口と水洗便器のリム部やジェットパイプの給水口との接続位置がずれていても、可撓性管の撓みにより接続位置のずれを吸収し、容易に供給管と給水口とを接続することができる。
【０００９】
【発明の実施の形態】
続いて、添付した図面を参照しつつ、本発明を具体化した実施の形態につき説明し、本発明の理解に供する。
ここで、図１は本発明の第１の実施の形態に係るトイレ装置の側断面図、図２（Ａ）、（Ｂ）はそれぞれ同トイレ装置のリム部と供給管の接続状態を示す側断面図、同トイレ装置のガイド部の底面図、図３は同トイレ装置のジェットパイプと供給管の接続状態を示す側断面図、図４は同トイレ装置のリム部と供給管のずれ状態を示す側断面図、図５は本発明の第２の実施の形態に係るトイレ装置の側断面図である。
【００１０】
図１に示すように、本発明の第１の実施の形態に係るトイレ装置１０は、トイレ室内に配置された水洗便器１１の背側上部の天井部１２に洗浄水タンク１３を収納した収納容器１４が載置されている。水洗便器１１の中央下部には洗浄水を溜めるボウル部１５が設けられ、ボウル部１５の上部周囲には洗浄水を通す空洞を形成して、ボウル部１５の上部から下方に渦を形成して洗浄水を流すリム部１６が設けられ、リム部１６の下部には洗浄水を流出させるリム排出孔１７が設けられている。また洗浄水タンク１３を載置する水洗便器１１の天井部１２にはリム部１６に洗浄水を供給する給水口１８を上方に向けて開口させている。
図２（Ａ）に示すように、給水口１８は金属製の接続用短管１９の上部に設けた小径部２０の先端に形成され、小径部２０の外周には雄ねじ２１を設けている。接続用短管１９の下部はリム部１６に開口して取付けられ、その外周には大径部２２を形成している。天井部１２には、接続用短管１９の大径部２２の外径より僅かに大きい内径を有する取付け孔２３を設けている。接続用短管１９の大径部２２と天井部１２との間には、小径部２０の外周に嵌合し、外径が取付け孔２３より僅かに大きい、例えばゴム製や合成樹脂製の可撓性を有するリング状パッキン２４を挿入して、雄ねじ２１に螺合するナット２５によってリング状パッキン２４を介して接続用短管１９を天井部１２に固定している。これにより、接続用短管１９は取付け孔２３に位置を調整可能に固定される。
【００１１】
ボウル部１５の下部には湾曲したトラップ排水路２６を設けて、リム排出孔１７から水洗便器１１内に排出した洗浄水を水洗便器１１の底部から、サイホン作用により流出するようにしている。また、水洗便器１１の底部にはトラップ排水路２６に向かって洗浄水を噴出させるジェットノズル２７を設け、ジェットノズル２７に接続されたジェットパイプ２８の給水口２９を天井部１２から上方に開口させている。なお、給水口２９は給水口１８と同様に、金属製の接続用短管３０の一方端に設けられた小径部３１の先端に形成され、小径部３１の外周には雄ねじ３２を設けている。接続用短管３０の他方端は大径部３３が形成されてジェットパイプ２８に接続されている。天井部１２には取付け孔２３とは別に接続用短管３０の小径部３１の外径より僅かに大きい内径を有する取付け孔３４を設けている。接続用短管３０の大径部３３と天井部１２との問には、小径部３１の外周に嵌合し、外径が取付け孔３４より僅かに大きいゴム製や合成樹脂製のリング状パッキン３５を挿入して、雄ねじ３２に螺合するナット３６によってリング状パッキン３５を介して接続用短管３０を天井部１２に固定している。これにより、接続用短管３０は取付け孔３４に取付け位置を調整可能に固定されている。
【００１２】
天井部１２の上に載置した収納容器１４の中には、洗浄水を溜める洗浄水タンク１３と、水洗便器１１の近傍に設けられた水道管３７から止水栓３８を介して洗浄水を洗浄水タンク１３に供給する洗浄水管３９と、洗浄水管３９から分岐し、例えば電磁弁からなる制御弁４０を介してリム部１６の給水口１８に洗浄水を供給する供給管４１が収納されている。供給管４１の下流側端部４２は収納容器１４の底板４３から下方に突出させて、給水口１８に接続手段４４によって接続している。また、洗浄水タンク１３の底部にはジェットノズル２７に洗浄水の供給を制御する制御弁４５を設けて供給管４６に接続し、供給管４６の下流側端部４７は底板４３から下方に突出させて、接続手段４８によってジェットパイプ２８の給水口２９に接続している。また、収納容器１４の中には制御弁４０、制御弁４５を制御する制御装置４９を収納している。
【００１３】
ここで、図２（Ａ）、（Ｂ）及び図３を参照して、接続手段４４、４８について更に詳しく説明する。
接続手段４４は、供給管４１の下流側端部４２に設けられており、給水口１８の内側に嵌合可能な排水口５２と、排水口５２の下部に設けられリム部１６の給水口１８の内側に挿入しうる先細りのガイド部５３とを有している。このガイド部５３は、排水口５２の軸心を中心として半径方向に広がり、その斜辺が下方に向かって排水口５２の軸心に近づく３枚のガイド板５４（排水口５２の底面図である図２（Ｂ）参照）を円周方向に等間隔に設けている。なお、ガイド板５４は３枚以上設けてもよい。
接続手段４８は接続手段４４とほぼ同一形状を備え（図３参照）、供給管４６の下流側端部４７に設けられており、給水口２９の内側に嵌合可能な排水口５７と、排水口５７の下部に形成されてジェットパイプ２８の給水口２９の内側に挿入しうる先細りのガイド部５８とを有している。このガイド部５８は、排水口５７の軸心を中心として半径方向に広がり、その斜辺が下方に向かって排水口５７の軸心に近づく３枚のガイド板５９を有している。
【００１４】
また、供給管４１、４６の下流側端部４２、４７の外周には、凹部５０、５５がそれぞれ設けられ、この凹部５０、５５にＯリング６０、６１がそれぞれ配置されている。これにより、排水口５２、５７を給水口１８、２９の内側へ挿入した場合、排水口５２、５７の挿入と共にＯリング６０、６１が上方へ移動することを防止できると共に、排水口５２、５７を給水口１８、２９の内側に嵌合した場合、排水口５２、５７と給水口１８、２９とが防水された状態で接合できる。
なお、排水口５２、５７へのガイド部５３、５８の取付けは、例えば、排水口５２、５７の内側に雌ねじを設け、一方ガイド板５４、５９の上部の円周方向端面に前記雌ねじに螺合する雄ねじを設けたり、また、排水口５２、５７の内側に凹部（溝部）を設け、一方ガイド板５４、５９の上部の円周方向端面に前記凹部に嵌入する凸部を設けたり、更に、ガイド板５４、５９の上部の円周方向端面の外径を、排水口５２、５７の内径より僅かに（例えば、１〜３ｍｍ）大きくすることで行うことが好ましい。これにより、排水口５２、５７からのガイド部５３、５８の抜け落ちを防止できる。
【００１５】
ここで、本発明の第１の実施の形態に係るトイレ装置１０の接続手段４４の接続動作について、図２（Ａ）、図４を参照して説明する。
収納容器１４は底板４３から下方に供給管４１、４６が突出しているので、水洗便器１１の天井部１２に収納容器１４を載置するとき、供給管４１、４６の下流側端部４２、４７に取付けられた排水口５２、５７がガイド部５３、５８によって給水口１８、２９の内側にガイドされて嵌入される。
このとき、例えば図４に示すように、排水口５２と給水口１８の中心位置が長さｅだけずれている場合は、排水口５２はガイド部５３のガイド板５４の傾斜面が給水口１８の内側に沿って摺動して、接続手段４４の外周が給水口１８の内側に自動的に嵌入し、供給管４１と給水口１８が接続される。
同様に、供給管４６とジェットパイプ２８の中心位置がずれている場合は、ジェットパイプ２８の給水口２９が供給管４６に設けた接続手段４８のガイド部５８にガイドされて相対的に移動し、互いに中心軸が一致して接続手段４８が給水口２９に嵌入し、供給管４６と給水口２９が接続される。
したがって、水洗便器１１の天井部１２の上に収納容器１４を載置するときに、接続手段４４、４８のそれぞれの排水口５２、５７に設けたガイド部５３、５８の先端をそれぞれ給水口１８、２９の内側に入る範囲に配置しておけば、収納容器１４を天井部１２の上に置くだけで、収納容器１４の自重によってガイド部５３、５８が給水口１８、２９に自動的に嵌入し、供給管４１、４６が給水口１８、２９に容易に接続される。
【００１６】
図５に示すように、本発明の第２の実施の形態に係るトイレ装置６５は、第１の実施の形態に係るトイレ装置１０において、制御弁４０を介して接続された供給管４１を給水口１８にガイド部５３を設けた接続手段４４によって接続する代わりに、例えば合成樹脂製やゴム製からなる可撓性管６６と、可撓性管６６の上流側に継手６７と、可撓性管６６の下流側に継手６８とを使用した接続手段６９によって、水洗便器１１のリム部１６の給水口７０と制御弁７１の下流側に設けられた供給管７２とを接続するようにしたものである。なお、第１の実施の形態と共通する構成要素については、同一名称、同一符号を付して説明を省略する。
すなわち、水道管３７の止水栓３８に接続された洗浄水管３９を介して制御弁７１に接続された供給管７２は水平方向に配置され、供給管７２の下流側端部７３は収納容器１４の背部に突出して開口させている。接続手段６９の継手６７、６８はワンタッチで結合可能な構造を備え、継手６７を供給管７２の下流側端部７３に接続し、継手６８をリム部１６の給水口７０に接続している。
これにより、供給管７２と水洗便器１１のリム部１６の給水口７０との接続位置がずれていても、可撓性管６６を撓ますことによって、容易にずれを吸収して供給管７２と給水口７０とを無理な力を生じさせずに接続することができる。
【００１７】
以上、本発明の実施の形態について説明したが、本発明は何ら前記実施の形態に限定されるものではなく、本発明の要旨を変更しない範囲でその他の実施の形態や変形例を含むものである。
例えば、第１、第２の実施の形態では、洗浄水タンクに設けたジェットパイプに洗浄水を供給する供給管にガイド部を設けた接続手段を用いて、洗浄水タンクに設けた供給管とジェットパイプの給水口とを接続した例について説明したが、ガイド部を設けた接続手段の代わりに、例えば合成樹脂製やゴム製の可撓性管を用いた接続手段によって供給管とジェットパイプの給水口とを接続してもよい。
また、リム部の給水口に接続手段を介して洗浄水タンクに設けた供給管を接続し、洗浄水タンクからの洗浄水をリム部に供給し、ジェットパイプの給水口に接続手段を介して水道管からの水道水をジェットパイプに供給するようにしてもよい。
【００１８】
【発明の効果】
請求項１及びこれに従属する請求項３記載のトイレ装置においては、水洗便器の上部に載置された洗浄水タンクと、洗浄水タンクから水洗便器に洗浄水を供給する供給管と、供給管の下流側を水洗便器の給水口に接続する接続手段とを有し、接続手段は、供給管の下流側端部に設けられ、しかも給水口の内側に嵌合可能な排水口と、排水口の下部に形成されて給水口に挿入しうる先細りのガイド部とを有しているので、洗浄水タンクに設けた供給管の排水口と水洗便器のリム部やジェットノズルの給水口との接続位置がずれていても、自動的に供給管と給水口との位置が調整され、組立作業の効率を高めることができる。
【００１９】
請求項２及びこれに従属する請求項３記載のトイレ装置においては、水道管から制御弁を介して水洗便器に洗浄水を供給する供給管と、供給管の下流側を水洗便器の給水口に接続する接続手段とを有し、接続手段は、供給管の下流側端部に設けられ、しかも給水口の内側に嵌合可能な排水口と、排水口の下部に形成されて給水口に挿入しうる先細りのガイド部とを有するので、水道管に接続され供給管の排水口と水洗便器のリム部やジェットノズルの給水口との接続位置がずれていても、自動的に供給管と給水口との位置が調整され、組立作業の効率を高めることができる。
特に、請求項３記載のトイレ装置においては、ガイド部は、排水口の軸心を中心として半径方向に広がり、その斜辺が下方に向かって排水口の軸心に近づく３枚以上のガイド板を有しているので、自動的に排水口と供給口のずれが調整され、組立作業が極めて容易となる。
【００２０】
請求項４記載のトイレ装置においては、水洗便器の上部に載置された洗浄水タンクと、洗浄水タンクから水洗便器に洗浄水を供給する供給管と、供給管の下流側を水洗便器の給水口に接続する接続手段とを有し、接続手段は、供給管の下流側端部にその一端が取付けられる可撓性管が使用され、可撓性管の他端部には、水洗便器の給水口に連結する継手が設けられているので、洗浄水タンクに設けた供給管の排水口と水洗便器のリム部やジェットパイプの給水口との接続位置がずれていても、容易に供給管と給水口とのずれを調整でき、組立作業の効率を高めることができる。
【００２１】
請求項５記載のトイレ装置においては、水道管から制御弁を介して水洗便器に洗浄水を供給する供給管と、供給管の下流側を水洗便器の給水口に接続する接続手段とを有し、接続手段は、供給管の下流側端部にその一端が取付けられる可撓性管が使用され、可撓性管の他端部には、水洗便器の給水口に連結する継手が設けられているので、水道管に接続された供給管の排水口と水洗便器のリム部やジェットパイプの給水口との接続位置がずれていても、容易に供給管と給水口とのずれを調整でき、組立作業の効率を高めることができる。
【図面の簡単な説明】
【図１】本発明の第１の実施の形態に係るトイレ装置の側断面図である。
【図２】（Ａ）、（Ｂ）はそれぞれ同トイレ装置のリム部と供給管の接続状態を示す側断面図、同トイレ装置のガイド部の底面図である。
【図３】同トイレ装置のジェットパイプと供給管の接続状態を示す側断面図である。
【図４】同トイレ装置のリム部と供給管のずれ状態を示す側断面図である。
【図５】本発明の第２の実施の形態に係るトイレ装置の側断面図である。
【符号の説明】
１０：トイレ装置、１１：水洗便器、１２：天井部、１３：洗浄水タンク、１４：収納容器、１５：ボウル部、１６：リム部、１７：リム排出孔、１８：給水口、１９：接続用短管、２０：小径部、２１：雄ねじ、２２：大径部、２３：取付け孔、２４：リング状パッキン、２５：ナット、２６：トラップ排水路、２７：ジェットノズル、２８：ジェットパイプ、２９：給水口、３０：接続用短管、３１：小径部、３２：雄ねじ、３３：大径部、３４：取付け孔、３５：リング状パッキン、３６：ナット、３７：水道管、３８：止水栓、３９：洗浄水管、４０：制御弁、４１：供給管、４２：下流側端部、４３：底板、４４：接続手段、４５：制御弁、４６：供給管、４７：下流側端部、４８：接続手段、４９：制御装置、５０：凹部、５２：排水口、５３：ガイド部、５４：ガイド板、５５：凹部、５７：排水口、５８：ガイド部、５９：ガイド板、６０、６１：Ｏリング、６５：トイレ装置、６６：可撓性管、６７、６８：継手、６９：接続手段、７０：給水口、７１：制御弁、７２：供給管、７３：下流側端部
【図１】
2004036131.tif 000003
【図２】
2004036131.tif 000004
【図３】
2004036131.tif 000005
【図４】
2004036131.tif 000006
【図５】
2004036131.tif 000007